(57)【要約】【課題】  再生データに不良が生じた場合、記憶媒体に保有される再生データを正当に復旧する再生データ復旧制御システムを提供する。【解決手段】  再生データ復旧システム３１は、インターネット３３に接続されたパソコン等の端末装置３５と、端末装置３５に接続される再生装置１５と、インターネット３３に接続されるシステムサーバー３８とから主に構成されている。再生装置１５には、暗号キーを保有するメモリカード５６と暗号キーを保有するスティック２５とが脱着自在に接続されている。端末装置３５はメモリカード５６とスティック２５とに格納されている暗号キーを比較し、これらが同一であれば、この暗号キーに対応する再生データを第２のデータベース４０からダウンロードしてメモリカード５６に書き込む。【選択図】      図３
2009223982.tif 000002
【特許請求の範囲】
【請求項１】
再生データ復旧システムであって、
ネットワークに接続される端末装置と、
前記端末装置に脱着自在に接続される再生装置と、
前記再生装置に脱着自在に接続され、第１の番号を保有すると共に前記再生装置で再生されるデータを保有できる記憶媒体と、
前記再生装置に着脱自在に接続され、第２の番号を保有するスティックと、
前記ネットワークに接続され、前記端末装置に対して送受信可能のシステムサーバーと、
前記システムサーバーに接続され、前記第１の番号に対応する再生データが保存されるデータベースとを備え、
前記端末装置は、復旧指令が入力された時、前記記憶媒体に保有されている第１の番号と前記スティックに保有されている第２の番号とを比較し、これらが一致している時その旨を前記システムサーバーに前記ネットワークを介して送信し、
前記システムサーバーは、これに応答して前記データベースに保存されている再生データを前記ネットワークを介して前記端末装置に送信し、前記端末装置は前記送信された再生データを前記記憶媒体に書き込む、再生データ復旧システム。
【請求項２】
前記スティックは、所定の回数を表す回数データも保有し、
前記保有されている回数データの回数分、前記再生データが記憶媒体に書き込まれると、前記再生装置は、前記スティックに保有されている第２の番号を消去する、請求項１記載の再生データ復旧システム。
【請求項３】
前記再生装置は、前記記憶媒体に保有されている第１の番号と前記スティックに保有されている第２の番号とが一致した時、装置番号を前記記憶媒体に固有番号として書き込み、
電源投入後、前記再生装置は、前記書き込まれた固有番号と前記装置番号とが一致した時のみ、前記記憶媒体の再生データを再生する、請求項１又は請求項２記載の再生データ復旧システム。
【発明の詳細な説明】
【技術分野】
【０００１】
この発明は再生データ復旧システムに関し、特にコンサート会場等で収録された音楽データ等の再生データを保存する記憶媒体において再生データを復旧する再生データ復旧システムに関するものである。
【背景技術】
【０００２】
従来、歌手のコンサートや音楽会等においては一般入場者による撮影や録音が禁止されているのが通常である。そのため、これらの演奏等は許可された者が正式に録音等して、後日ＣＤやＤＶＤ等の記憶媒体に記憶したものを販売することが多い。当日参加した人や参加できなかった人は、後日これらのＣＤ等を購入しこれを再生して楽しんでいた。
【０００３】
このような従来の録音、再生方式ではコンサート当日に入場した人がコンサート終了後直ちにその内容を視聴したいと思っても、会場内での録音等が禁止されているためできなかった。仮に隠れて録音等をしたとしても、周囲の雑音等が入りその品質が低下して満足のいくものとはならない。
【０００４】
そこで、会場側で正式に録音等してその場で複数のＳＤカード等の記憶媒体に書き込み、プレーヤー等の再生装置と共にコンサート終了後に販売することが考えられる。
【０００５】
図６はこのような再生装置と記憶媒体との概略構成を示したブロック図である。
【０００６】
図を参照して、再生装置４２は制御部４３を中心として構成されている。メモリカード装着部５７は記憶媒体となるＳＤカード等のメモリカード５６を脱着自在に装着するものである。メモリカード５６には、コンサート会場で録音された音楽データをデジタル変換し、これを所定のエンコード情報に基づき符号化された音楽ファイルが格納されている。
【０００７】
デコーダー４８はデコード情報格納部５０に格納されているデコード情報に基づきメモリカード５６に格納されている音楽ファイルを復号化する。Ｄ／Ａ変換部５１は復号化された音楽ファイルを表示部５３とステレオミニジャック５２に接続されたイヤホーン５４とに出力する。操作部４７は、これを操作することによって表示部５３及びイヤホーン５４の内容を制御するものである。
【０００８】
具体的な制御として、制御部４３はメモリカード５６から読み出された音楽ファイルと格納されているデコード情報とに基づいて音楽ファイルがデコードできるか否かを判断する。メモリカード５６に格納されている音楽ファイルは特定のエンコード情報によって符号化されたものである。従って、デコード情報格納部５０に格納されているデコード情報がこれに対応する特定のデコード情報でない場合には、その音楽ファイルを復号化することはできない。これは、メモリカード５６に格納された音楽ファイルのみを複製等しても益がないことを意味する。すなわち、これを再生するプレーヤーが元の音楽ファイルに対応したデコード情報を有さないものであれば、複製された音楽ファイルを再生することができない。これによって、音楽ファイルの複製、すなわちメモリカード５６の複製による不当な音楽ファイルの拡散を防止することができる。
【発明の開示】
【発明が解決しようとする課題】
【０００９】
上記のような音楽ファイルの符号化の方法では音楽ファイルの不当な拡散をある程度防止することができるが、十分とは言えない。なぜなら、当日販売する再生装置の各々は同一仕様であるため、デコード情報はすべて同一となり、音楽ファイルの符号化の内容も同一となる。ところが、同一の主催者のコンサート等においては、次回からは音楽ファイルを格納したメモリカードだけを単体として販売する場合が考えられる。この場合、メモリカードを複製すると、前回購入した再生装置で複製品を再生することができることになり、不当な複製を防止することができない。
【００１０】
これを避けるためには、再生装置とメモリカードとを一対一のセットとして対応させ、それぞれ固有のコーディック情報で符号化、復号化することが考えられる。しかし、再生装置をそれぞれ別仕様とし、かつ大量のメモリカードにそれぞれ別に符号化した音楽ファイルを短時間で書き込むように処理するのは実際的ではない。そこで、再生装置と対を成すようにメモリカードをユーザー側で認証させた後メモリカードを再生させることが一つの方法となる。しかし、この場合、購入したメモリカードが保有している再生データ自体に何らかのデータ不良が生じている場合認証の前提が崩れることになる。
【００１１】
この発明は上記のような課題を解決するためになされたもので、再生データに不良が生じた場合、記憶媒体に保有される再生データを正当に復旧する再生データ復旧制御システムを提供することを目的とする。
【課題を解決するための手段】
【００１２】
上記の目的を達成するために、請求項１記載の発明は、再生データ復旧システムであって、ネットワークに接続される端末装置と、端末装置に脱着自在に接続される再生装置と、再生装置に脱着自在に接続され、第１の番号を保有すると共に再生装置で再生されるデータを保有できる記憶媒体と、再生装置に着脱自在に接続され、第２の番号を保有するスティックと、ネットワークに接続され、端末装置に対して送受信可能のシステムサーバーと、システムサーバーに接続され、第１の番号に対応する再生データが保存されるデータベースとを備え、端末装置は、復旧指令が入力された時、記憶媒体に保有されている第１の番号とスティックに保有されている第２の番号とを比較し、これらが一致している時その旨をシステムサーバーに前記ネットワークを介して送信し、システムサーバーは、これに応答してデータベースに保存されている再生データをネットワークを介して端末装置に送信し、端末装置は送信された再生データを記憶媒体に書き込むものである。
【００１３】
このように構成すると、記憶媒体の第１の番号とスティックの第２の番号とが一致して初めて再生データが記憶媒体に書き込まれる。
【００１４】
請求項２記載の発明は、請求項１記載の発明の構成において、スティックは、所定の回数を表す回数データも保有し、保有されている回数データの回数分、再生データが記憶媒体に書き込まれると、再生装置は、スティックに保有されている第２の番号を消去するものである。
【００１５】
このように構成すると、スティックの回数データによって記憶媒体に再生データを書き込める回数が制限される。
【００１６】
請求項３記載の発明は、請求項１又は請求項２記載の発明の構成において、再生装置は、記憶媒体に保有されている第１の番号とスティックに保有されている第２の番号とが一致した時、装置番号を記憶媒体に固有番号として書き込み、電源投入後、再生装置は、書き込まれた固有番号と装置番号とが一致した時のみ、記憶媒体の再生データを再生するものである。
【００１７】
このように構成すると、記憶媒体の固有番号と装置番号とが一致して初めて再生が可能となる。
【発明の効果】
【００１８】
以上説明したように、請求項１記載の発明は、記憶媒体の第１の番号とスティックの第２の番号とが一致して初めて再生データが記憶媒体に書き込まれるので、正当な記憶媒体及びスティックであれば、記憶媒体の再生データの復旧が容易となる。
【００１９】
請求項２記載の発明は、請求項１記載の発明の効果に加えて、スティックの回数データによって記憶媒体に再生データを書き込める回数が制限されるので、用途に応じて復旧回数を設定できるため使い勝手が向上する。
【００２０】
請求項３記載の発明は、請求項１又は請求項２記載の発明の効果に加えて、記憶媒体の固有番号と装置番号とが一致して初めて再生が可能となるので、再生データを復旧した記憶媒体をコピーしても他の再生装置で再生することができず、不当なコピーを防止することができる。
【発明を実施するための最良の形態】
【００２１】
図１はこの発明の第１の実施の形態による再生制御システムの概略構成を示したブロック図である。
【００２２】
図を参照して、再生制御システム１１は、音楽ファイル等の再生データを再生する音楽プレーヤー等の再生装置１５と、再生装置１１のメモリカード装着部５７に脱着自在に接続され、音楽ファイルを保有するＳＤカード等の記憶媒体であるメモリカード５６と、再生装置１１のステレオミニジャック５２に脱着自在に接続されるスティック２５とから構成されている。
【００２３】
まず、再生装置１５であるが、図６の従来例として示した再生装置４２の構成と共通するところが多い。そこで、ここでは従来の再生装置４２と異なる部分について主に説明する。再生装置１５にはパソコン等を接続するためのＵＳＢ接続口２３が設けられている。この用途については後述する。又、再生装置１５には固有のシリアル番号が与えられているが、このシリアル番号はシリアル番号格納部２１に格納されており、制御部４３によって随時読み出し可能に構成されている。
【００２４】
次に、メモリカード５６であるが、そのタグ情報等が格納されている情報格納部２８に特定の暗号キーが格納されている。暗号キーは半角英数字による数桁の文字列としているが、これは保存される音楽データに対応するものである。情報格納部２８は通常タグ情報として音源のタイトル名やアーティスト名等の内容が格納されているが、これらに加えて暗号キーを格納し、保存される音源データとともに所定のコーディック情報に基づいて暗号化されている。したがって、通常のパーソナルコンピューター（以下「パソコン」と称する）では暗号キーを含めて情報格納部２８に格納されているすべての情報が表示されないように構成されている。しかし、この再生装置１５のデコード情報格納部５０にはこのコーディック情報が格納されているので、メモリカード５６の情報格納部２８に格納されている暗号キーを復号化してその具体的な内容を読み取ることができる。
【００２５】
更に、スティック２５であるが、そこにはＥＰＲＯＭ等よりなる情報格納部２６が設けられ、所定の暗号キーが格納されている。スティック２５を再生装置１５のステレオミニジャック５２に差し込むと、制御部４３はスティック２５にアクセスし、情報格納部２６に格納されている暗号キーを読み出すことができる。ここで、ステレオミニジャック５２をスティック２５の入力端子として利用しているが、これに代えてＵＳＢ端子やミニＵＳＢ端子に挿入できるようにスティック２５を構成しても良い。尚、情報格納部２６には暗号キーのみならず、後述する認証回数を制限する回数データも併せて格納されており、制御部４３はその回数データも読み出す。
【００２６】
図２は図１の再生制御システム１１における制御部４３の具体的な制御内容を示したフローチャートである。
【００２７】
まず、再生に当たって必要なメモリカードの認証処理について説明する。
【００２８】
図を参照して、再生装置１５の電源が投入されると（Ｓ１１）、制御部４３はステレオミニジャック５２にスティック２５が挿入されているか否かを判断する。スティック２５が挿入されていると（Ｓ１２でＹＥＳ）、スティック２５の情報格納部２６に格納されている第１の特定番号（暗号キー）を読み取るとともに、メモリカード装着部５７にメモリカード５６が挿入されているか否かを判断する。メモリカード５６が挿入されていない場合には（Ｓ１３でＮＯ）、表示部５３にエラー表示をした後処理を終了する。
【００２９】
一方、メモリカード５６が挿入されている場合は（Ｓ１３でＹＥＳ）、その情報格納部２８に格納されている第２の番号（暗号キー）を読み取り、第１の番号とを比較する（Ｓ１４）。これらの特定番号同士が一致していない場合（Ｓ１４でＮＯ）、表示部５３にエラー表示をした後認証処理を終了する。これらの番号が一致した場合（Ｓ１４でＹＥＳ）、再生装置１５のシリアル番号を格納部２１から読み出し、メモリカード５６の情報格納部２８に格納する。このシリアル番号は再生装置１５毎に付けられている番号であることから、固有の番号となる。ここでシリアル番号を情報格納部２８に格納する際、すでに既存の番号が情報格納部２８に格納されている場合は認証済みのメモリカードとしてエラー処理とするが、用途に応じて上書きできるようにして新たな認証を可能とするように構成しても良い。
【００３０】
次に、シリアル番号をメモリカード５６の情報格納部２８に格納（認証）する毎に、スティック２５の情報格納部２６に格納されている回数データを削減するように制御部４３は書き換える。回数データの回数分（認証回数）がゼロになっていない場合（Ｓ１７でＮＯ）、電源を切断（Ｓ１９）することによって認証は終了する。一方、回数データの回数分（認証回数）がゼロになっている場合（Ｓ１７でＹＥＳ）、スティック２５の情報格納部２６に格納されている第１の番号（暗号キー）を消去（Ｓ１８）し、電源を切断（Ｓ１９）することによって認証処理は終了する。
【００３１】
以上によって再生制御システム１１の認証処理が終了するが、次に再生制御システム１１による再生処理について説明する。
【００３２】
認証処理が終了して電源が切断された後、再生処理を行う場合は、スティック２５を再生装置１５から取り出し、メモリカード５６を挿入した状態で行う。次に、再生装置１１の電源を投入する（Ｓ１１）と、制御部４３はステレオミニジャック５２にスティック２５が挿入されているか否かを判断する（Ｓ１２）。再生処理ではスティック２５は取り外されているので（Ｓ１２でＮＯ）、処理はステップ２０に進み、メモリカード装着部５７にメモリカード５６が挿入されているか否かを判断する（Ｓ２０）。メモリカード５６が挿入されていない場合には（Ｓ２０でＮＯ）、表示部５３にエラー表示（Ｓ２３）をした後再生処理を終了する。
【００３３】
一方、メモリカード５６が挿入されている場合は（Ｓ２０でＹＥＳ）、その情報格納部２８に格納されているシリアル番号を読み取り、シリアル番号格納部２１に格納されているシリアル番号とを比較する（Ｓ２１）。これらの番号同士が一致しない場合（Ｓ２１でＮＯ）、表示部５３にエラー表示（Ｓ２３）をした後再生処理は終了する。しかし、上述の認証処理によってこれらの番号は一致しているので（Ｓ２１でＹＥＳ）、制御部４３はメモリカード５６に保有されている音楽ファイルを読み出し、デコード情報格納部５０に格納されているコーディック情報に基づいてこれを復号化して音楽を再生し（Ｓ２２）、再生処理が終了する。
【００３４】
このようにして、メモリカード５６に保有されている音楽ファイルは認証されて再生されるため、仮にメモリカード５６自体をコピーしても意味が無い。すなわち、同一のコーディック情報を有する他の再生装置によって再生しようとしても、スティックが無ければ認証処理ができないからである。これによって、メモリカードに保存された音楽ファイルの不当なコピーによる拡散を防止することができる。
【００３５】
次に、スティック２５に格納されている回数データについて説明する。上述のようにスティック２５に格納されている暗号キーはメモリカード５６の認証に必要なものである。しかし、一方ではスティックさえあれば、メモリカードを多数複製してこれを次々と認証すれば、複製したメモリカードと同一仕様の再生装置とがあれば自在に再生できることになり、想定外の音楽ファイルの拡散が生じる虞がある。そこで、この実施の形態ではスティックの実質的な認証処理に制限を持たすべく、回数データをスティックに格納したものである。
【００３６】
具体的にはスティックを用いた認証回数が所定の回数に達すると、スティックに格納されている暗号キーを消去し、以後このスティックを用いての認証処理ができないようにしたものである。この所定の回数はスティックに当初保存されており、認証するごとにその回数を減らしていくものである。所定の回数分だけ認証処理が行われると、そのスティックに格納されている暗号キーが消去され、以後認証処理ができなくなる。これによって、メモリカードの複製は所定回数だけに制限されるので、アーティストの要望等に応じて自在にコピーを制限することが可能となる。したがって、スティックを用いたコピーに制限をかけない場合には、回数データ自体をスティックに格納する必要は無い。
【００３７】
このようにスティック自体の回数データで認証処理を制限するため、同一のスティックによる認証処理が他の再生装置で行われても同様の効果を奏する。
【００３８】
図３はこの発明の第２の実施の形態による再生データ復旧システムの概略構成を示すブロック図である。
【００３９】
図を参照して、再生データ復旧システム３１は、ネットワークの一種としてのインターネット３３に接続されたパソコン等の端末装置３５と、端末装置３５にＵＳＢケーブル３６で脱着自在に接続される音楽プレーヤー等の再生装置１５と、インターネット３３に接続され、端末装置３５に対して送受信可能なシステムサーバー３８とから主に構成されている。再生装置１５には、暗号キーを保有するとともに再生装置１５で再生されるデータを保有できるメモリカード５６と暗号キーを保有するスティック２５とが脱着自在に接続されている。システムサーバー３８には、所定のプログラムが保存されている第１のデータベース３９と暗号キーに対応する再生データが保存されている第２のデータベース４０とが接続されている。
【００４０】
なお、再生装置１５、記憶媒体５６およびスティック２５の構成は基本的に先の実施の形態で示したものと同一である。
【００４１】
図４は図３で示した端末装置の制御内容を示したフローチャートである。
【００４２】
このフローにあっては、メモリカード５６の再生データに何らかのデータ不良が生じ、スティック２５を所有する正当な再生装置１５の持ち主がメモリカード５６を再生できない場合を想定し、このメモリカードを復旧する処理を行うものである。
【００４３】
図を参照して、まず前段階の準備として、再生装置１５にメモリカード５６およびスティック２５に接続した状態で、再生装置１５をＵＳＢケーブル３６を介して端末装置３５に接続する。次に端末装置１５をインターネット３３を介してシステムサーバー３８に接続する（Ｓ３１）。そして、図示しない画面の表示にしたがって復旧用のソフトウエアを第１のデータベース３９から取り出し、端末装置３５にダウンロードする（Ｓ３２）。端末装置３５は、再生装置１５が接続されており（Ｓ３３でＹＥＳ）、再生装置１５にスティック２５が挿入されており（Ｓ３４でＹＥＳ）、再生装置１５にメモリカード５６が挿入されている（Ｓ３５でＹＥＳ）かを確認する。
【００４４】
これらの確認が済むと端末装置３５は、システムサーバー３８を介して再生データの書き込み用のドライバーソフトウエアを第１のデータベース３９から取り出しインストールする（Ｓ３７）。次に図示しない端末装置３５の画面の表示にしたがって「復旧ボタン」をクリックする。端末装置３５は、再生装置１５を介してこれに挿入されているスティック２５に格納されている暗号キーを読み出す（Ｓ３８）。このとき、暗号キーを読み出せない場合は（Ｓ３８でＮＯ）、端末装置３５の画面にエラー表示（Ｓ４１）がなされ、復旧処理は終了する。
【００４５】
スティック２５から暗号キーが読み出されると（Ｓ３８でＹＥＳ）、その暗号キーに対応する再生データをシステムサーバー３８を介して第２のデータベース４０から読み出し、ダウンロードする（Ｓ３９）。ダウンロードされた再生データは、再生装置１５を介してメモリカード５６に書き込まれ（Ｓ４０）、復旧処理は終了する。以後、先の実施の形態で説明したように、スティック２５を用いてメモリカード５６の認証処理をすれば、再生可能となる。
【００４６】
尚、この実施の形態では、スティック２５をメモリカードの復旧処理に用いているが、同一処理によって新たなメモリカードへのコピー処理としても使用できる。
【００４７】
図５はこの発明の第３の実施の形態による再生データ復旧システムにおける端末装置の制御内容を示すフローチャートである。
【００４８】
この再生データ復旧システムの構成は先の第２の実施の形態によるものと同一であるので構成についての説明は繰り返さない。また、制御内容についても共通点も多いのでここでは相違点について主に説明する。
【００４９】
所定の接続準備が終了して、端末装置１５をシステムサーバー３８に接続する（Ｓ４１）点は同一である。しかし、この実施の形態にあっては、復旧用のソフトウエアのダウンロードはせずに各構成品の接続状況を確認する（Ｓ４２〜Ｓ４４）。又、ドライバーソフトウエアのインストールもせず、図示しない画面上の「ドライバーボタン」をクリックする（Ｓ４５）。次に「復旧ボタン」をクリックすると（Ｓ４６）、以下第２の実施の形態と同様に、所定の再生データがメモリカード５６に書き込まれ、復旧処理は終了する。以後、メモリカード５６の認証処理をすれば、再生可能となる。
【００５０】
この実施の形態であれば、ソフトウエアのダウンロードやインストールを端末装置においてする必要が無いため、より簡便に再生データを復旧することが可能になり使い勝手が良い。
【００５１】
尚、上記の各実施の形態では、所定のコーディック情報で再生データの符号化および復号化を行っているが、この符号化および復号化は必ずしも必要なものではない。
【００５２】
又、上記の実施の形態では、暗号キーはメモリカードのタグ情報格納部に格納されているが、格納場所は他の格納部であっても良い。
【００５３】
更に、上記の実施の形態では、スティックに格納されている暗号キーの回数データが格納されているが、回数データは無くても良い。この場合、用途に応じて暗号キーを認証によっても常に残存するようにしたり、あるいは一度の認証で消滅するようにすれば良い。
【００５４】
更に、上記の各実施の形態では、音楽ファイルを基にこれを再生しているが、これに代えて録画データにも同様に適用でき同様の効果を奏する。あるいは、録音データと録画データとを合体させたデータにも同様に適用できる。
【００５５】
更に、上記の各実施の形態では、コンサート会場等の演奏の録音を前提としているが、このような演奏に限らず講演、セミナー等に対しても同様に適用できることは言うまでも無い。
【００５６】
更に、上記の第２および第３の実施の形態では、再生装置は端末装置を介してインターネットに接続されているが、再生装置を直接インターネットに接続して再生データをシステムサーバーから取得するように構成しても良い。
【００５７】
更に、上記の第２および第３の実施の形態では、端末装置としてパソコンを用いているがパソコンに代えてＰＤＡ等の携帯端末や携帯電話等であっても良い。
【００５８】
更に、上記の第２および第３の実施の形態では、ネットワークとしてインターネットを用いているが、これに代えてイントラネット等の他のネットワークを用いても良く、あるいは端末装置を直接システムサーバーに接続するように構成しても良い。
【図面の簡単な説明】
【００５９】
【図１】この発明の第１の実施の形態による再生制御システムの概略構成を示したブロック図である。
【図２】図１で示した再生制御システムの制御内容を説明するためのフローチャートである。
【図３】この発明の第２の実施の形態による再生データ復旧システムの概略構成を示したブロック図である。
【図４】図３で示した再生データ復旧システムの制御内容を説明するためのフローチャートである。
【図５】この発明の第３の実施の形態による再生データ復旧システムの制御内容を説明するためのフローチャートである。
【図６】従来の再生装置の概略構成を示したブロック図である。
【符号の説明】
【００６０】
１５…再生装置
２５…スティック
３１…再生データ復旧システム
３３…インターネット
３５…端末装置
３６…ＵＳＢケーブル
３８…システムサーバー
３９…第１のデータベース
４０…第２のデータベース
５６…メモリカード
尚、各図中同一符号は同一又は相当部分を示す。
【図１】
2009223982.tif 000003
【図２】
2009223982.tif 000004
【図３】
2009223982.tif 000005
【図４】
2009223982.tif 000006
【図５】
2009223982.tif 000007
【図６】
2009223982.tif 000008